(57)【要約】【課題】便器を確実に床面に固定することができる便器の床固定構造を提供する。【解決手段】台座部２の前部は、固定用部材１６によって床面Ｆ上に固定されている。固定用部材１６は、床面Ｆ上に取り付けられた床側メンバ１８と、台座部２に取り付けられており、該床側メンバ１８に対し上方から重なり合う便器側メンバ２０と、重なり合った該床側メンバ１８と便器側メンバ２０とを結合する結合手段としてのマグネット（永久磁石）２２とを備えている。マグネット２２は、便器側メンバ２０に保持されている。床側メンバ１８は、マグネット２２がその磁力によって張り付き可能な鉄等の磁性材料により構成されている。【選択図】図１
2005048584.tif 000002
【特許請求の範囲】
【請求項１】
台座部を有する便器が床面上に載置され、該床面に対し固定用部材によって固定された便器の床固定構造において、
該固定用部材は、該床面に設置された床側メンバと、該台座部に設置された便器側メンバとを備えてなり、
該固定用部材は、該便器を床面に上方から載置したときに該便器側メンバが該床側メンバに対し上方から重なり合って両者を結合する結合手段を有することを特徴とする便器の床固定構造。
【請求項２】
請求項１において、該便器を床面に上方から載置したときに該床側メンバと便器側メンバとがずれて重なった場合でも、該床側メンバと便器側メンバとが前記結合手段によって結合されることを特徴とする便器の床固定構造。
【請求項３】
請求項１又は２において、該結合手段は磁気、嵌合、粘着、接着又は平面ファスナによる結合手段であることを特徴とする便器の床固定構造。
【請求項４】
請求項１ないし３のいずれか１項において、該床側メンバは該床面に埋設されていることを特徴とする便器の床固定構造。
【請求項５】
請求項１ないし４のいずれか１項において、前記床側メンバは、床面に対し相対的に下方移動可能に取付部材を介して該床面に取り付けられていることを特徴とする便器の床固定構造。
【請求項６】
請求項５において、該取付部材は、該床側メンバが床面に対し相対的に下方移動することを許容し且つ上昇移動することを阻止するワンウェー機構を有していることを特徴とする便器の床固定構造。
【請求項７】
請求項１ないし４のいずれか１項において、前記便器側メンバは、便器に対し相対的に上昇移動可能に取付部材を介して取り付けられていることを特徴とする便器の床固定構造。
【請求項８】
請求項７において、該取付部材は、該便器側メンバが便器に対し相対的に上昇移動することを許容し且つ下方移動することを阻止するワンウェー機構を有していることを特徴とする便器の床固定構造。
【請求項９】
請求項１ないし４のいずれか１項において、前記結合手段は、該床側メンバと便器側メンバとを接近可能に連結する連結部材を備えていることを特徴とする便器の床固定構造。
【請求項１０】
請求項９において、該連結部材は、該床側メンバと便器側メンバとが互いに接近することを許容し且つ離反することを阻止するワンウェー機構を有していることを特徴とする便器の床固定構造。
【発明の詳細な説明】
【技術分野】
【０００１】
本発明は便器を床面に固定した構造に係り、特に洋風便器の前部を床面に固定する場合に好適な構造に関するものである。
【背景技術】
【０００２】
洋風便器を床面に固定するにはビス留めが簡便且つ強固であり、好適である。ただし、この場合、ビスが露見すると見栄えが悪いので、トイレ使用者から視認され易い洋風便器前部についてはビス以外の固定手段が望まれている。
【０００３】
実開平５−１０５８７号公報には、床面にビス留めしたハネ上げ片を洋風便器台座部内壁面に設けたスリットに係合させて洋風便器前部を床面に固定する構造が記載されている。
【０００４】
実開平７−２０３７７号公報には、床面にゴム製固定具をビス留めしておき、このゴム製固定具を洋風便器台座部の内面の水平突片に係合させて洋風便器前部を床面に固定した構造が記載されている。
【０００５】
【特許文献１】実開平５−１０５８７号公報
【特許文献２】実開平７−２０３７７号公報
【発明の開示】
【発明が解決しようとする課題】
【０００６】
上記従来のハネ上げ片及びゴム製固定具は、それぞれ洋風便器台座部のスリットや突片に正しく係合するならば、洋風便器前部を固定することができる。しかしながら、洋風便器は陶器（焼き物）製であるため、寸法精度のバラツキが大きい。（因みに、ＪＩＳ  Ａ５２０７では、洋風便器の寸法誤差を±５％以下と規定している。）この寸法のバラツキにより、ハネ上げ片やゴム製固定具の係止が甘くなり、洋風便器前部の固定が緩くなるおそれがある。
【０００７】
本発明は、便器を確実に床面に固定することができる便器の床固定構造を提供することを目的とする。
【課題を解決するための手段】
【０００８】
本発明の便器の床固定構造は、台座部を有する便器が床面上に載置され、該床面に対し固定用部材によって固定された便器の床固定構造において、該固定用部材は、該床面に設置された床側メンバと、該台座部に設置された便器側メンバとを備えてなり、該固定用部材は、該便器を床面に上方から載置したときに該便器側メンバが該床側メンバに対し上方から重なり合って両者を結合する結合手段を有することを特徴とするものである。
【０００９】
かかる本発明の便器の床固定構造に従って便器を床面に固定するには、床側メンバを床面に取り付け、便器側メンバを便器に取り付けておき、便器を床面上に載置し、床側メンバを便器側メンバに重ね合わせるだけでよい。この床側メンバと便器側メンバとが結合することにより、便器が床面に固定される。
【００１０】
本発明では、便器を床面に上方から載置したときに該床側メンバと便器側メンバとがずれて重なった場合でも、該床側メンバと便器側メンバとが前記結合手段によって結合されるよう構成されていることが好ましい。
【００１１】
かかる構成とすることにより、例えば便器製品に、床面に沿う方向（前後方向或いは左右方向）に寸法誤差があった場合でも、確実に床側メンバと便器側メンバとが結合されるようになる。このため、便器を確実に床面に固定することができる。
【００１２】
この結合のための手段としては、磁気、嵌合、粘着又は接着、あるいは平面ファスナが、低コストであると共に結合力が強く好適である。
【００１３】
本発明では、床側メンバは床面に埋設されて設置されてもよい。このようにすれば、床側メンバの固定が堅固となる。
【００１４】
本発明の一態様では、床側メンバは、床面に対し相対的に下方移動可能に取付部材を介して該床面に取り付けられている。この態様にあっては、便器を床面に載置する際には、便器の床面への当接に先行して便器側メンバが床側メンバに重なる。そして、便器をさらに降下させて床面に載置するに至る間、床側メンバは取付部材によって下方に移動する。このため、例えば便器製品に上下方向の寸法誤差があった場合でも、該床側メンバの下方移動によってこの誤差が吸収され、便器が床面に載置された状態において便器側メンバと床面側メンバとが確実に重なり合って強固に結合される。
【００１５】
この態様において、取付部材は、床側メンバが床面に対し相対的に下方移動することを許容し且つ上昇移動することを阻止するワンウェー機構を有していることが好ましい。このように構成した場合、便器が床面に当接した後は、床側メンバは、床面に対し相対的に上昇移動することがワンウェー機構によって阻止されるため、便器が確実に床面に固定されるようになる。
【００１６】
本発明の別の一態様では、便器側メンバは、便器に対し相対的に上昇移動可能に取付部材を介して取り付けられている。この態様にあっても、便器を床面に載置するに至る間に便器側メンバが取付部材によって上方に移動することにより、便器製品の上下方向の寸法誤差が吸収され、便器が床面に載置された状態において便器側メンバと床面側メンバとが確実に重なり合って強固に結合される。
【００１７】
この態様でも、取付部材は、便器側メンバが便器に対し相対的に上昇移動することを許容し且つ下方移動することを阻止するワンウェー機構を有していることが好ましく、このように構成することにより、便器が床面に当接した後、確実に便器が床面に固定されるようになる。
【００１８】
本発明のさらに別の一態様では、結合手段は、床側メンバと便器側メンバとを接近可能に連結する連結部材を備えている。この態様においては、便器を床面に載置する際には、便器の床面への当接に先行して、床側メンバと便器側メンバとが連結部材を介して連結される。そして、便器をさらに降下させて床面に載置するに至る間、該連結部材が床側メンバと便器側メンバとを互いに接近させる。このため、この態様にあっても、例えば便器製品に上下方向の寸法誤差があった場合でも、該床側メンバと便器側メンバとの接近移動によってこの誤差が吸収され、便器が床面に載置された状態において便器側メンバと床面側メンバとが該連結部材を介して確実に結合される。
【００１９】
この連結部材も、該床側メンバと便器側メンバとが互いに接近することを許容し且つ離反することを阻止するワンウェー機構を有していることが好ましく、このように構成することにより、便器が床面に当接した後、確実に便器が床面に固定されるようになる。
【発明の効果】
【００２０】
本発明によると、便器を確実に床面に固定することができる便器の床固定構造が提供される。
【発明を実施するための最良の形態】
【００２１】
以下、図面を参照して本発明の実施の形態について説明する。
【００２２】
第１図は本発明の実施の形態に係る便器の床固定構造によって床面に固定された洋風便器の側面図（ただし、洋風便器台座部の前半側のみ縦断面にて図示。）、第２図はこの便器の床固定構造の便器固定用部材の分解斜視図、第３図及び第４図は、それぞれ洋風便器を床面に載置する途中時及び載置完了時における固定用部材の側面図、第５図及び第６図は、それぞれ洋風便器を床面に載置する途中時及び載置完了時における固定用部材の正面図である。なお、第３図及び第４図において、固定用部材のうち、便器側メンバのソケット部のみが第５図のIII−III線に沿う断面にて図示されており、第５図及び第６図においては、該ソケット部のみが第３図のＶ−Ｖ線に沿う断面にて図示されている。
【００２３】
この実施の形態では、洋風便器１がトイレルームの床面Ｆ上に固定設置されている。この洋風便器１は陶器（焼き物）製のものである。第１図に示すように、この洋風便器１は、床面Ｆ上に載置された台座部２と、その前部に設けられた鉢部４と、その後部上面に設けられたロータンク（図示略）の載置部６とを有している。符号８は、該鉢部４の上部内周面に設けられたリム通水路を示している。該台座部２は、外周壁１０によって外殻が構成された無底中空状体であり、その内部には、鉢部４に連なるトラップ部（図示略）等の排水設備などが配置されている。
【００２４】
台座部２の後部には、該外周壁１０の下辺部から床面Ｆに沿うように後方に向って延出した略水平な足片部１２が形成されている。この足片部１２には、台座部２固定用のビス１４を挿通するための孔（図示略）が該足片部１２を上下方向に貫通するように設けられている。台座部２の後部にあっては、この孔を通して床面Ｆにビス１４が螺じ込まれることにより、足片部１２が床面Ｆに固定されている。該ビス１４の頭部には化粧キャップ１４ａが装着されている。
【００２５】
台座部２の前部は、固定用部材１６によって床面Ｆ上に固定されている。この固定用部材１６は、該床面Ｆ上に取り付けられた床側メンバ１８と、該台座部２に取り付けられており、該床側メンバ１８に対し上方から重なり合う便器側メンバ２０と、重なり合った該床側メンバ１８と便器側メンバ２０とを結合する結合手段としてのマグネット（永久磁石）２２とを備えている。該マグネット２２は、この実施の形態では便器側メンバ２０に保持されている。床側メンバ１８は、マグネット２２がその磁力によって張り付き可能な鉄等の磁性材料により構成されている。
【００２６】
なお、この実施の形態では、台座部２の前部において、外周壁１０の裏側（台座部２の内部側）には、該外周壁１０との間に間隔をおいて略上下方向に延在する上下方向壁２４が形成されている。この上下方向壁２４は、第１図に示すように、上端部が鉢部４の底面と連続しており、下端部が外周壁１０の下辺部付近と連続している。便器側メンバ２０は、台座部２の内部において、取付部材２６を介してこの上下方向壁２４に取り付けられている。この取付部材２６は、該便器側メンバ２０が上下方向壁２４に対し相対的に上昇移動することを許容し且つ下方移動することを阻止するワンウェー機構を有している。（以下、このようにワンウェー機構を有する取付部材を「ワンウェー取付部材」と称する。）
【００２７】
床側メンバ１８は平板状の部材であり、台座部２が床面Ｆ上に載置されたときに便器側メンバ２０の略真下に占位するように、床面Ｆ上に配置されている。この床側メンバ１８は、板面にビス挿通用の孔１８ａ（第２図）が設けられており、この孔１８ａを通して床面Ｆに螺じ込まれたビス２８によって該床面Ｆ上に固定されている。なお、第２図に示すように、この床側メンバ１８の上面側において、該孔１８ａの周囲は凹所１８ｂとなっており、この凹所１８ｂ内にビス２８の頭部２８ａが入り込むことにより、該頭部２８ａが床側メンバ１８の上面から突出しないようになっている。
【００２８】
便器側メンバ２０は、台座部２が床面Ｆ上に載置されたときに上方から該床側メンバ１８と重なり合うように略水平に配置された板状の部材であり、その下面側にマグネット２２が配置されている。マグネット２２は、この実施の形態では円盤状のものであり、一面（上面）に取付金具３０が固着されている。この取付金具３０からはスタッドボルト３０ａが突設されており、便器側メンバ２０に穿設されたボルト挿通用の孔（図示略）に該スタッドボルト３０ａが挿通され、該スタッドボルト３０ａにナット３０ｂが締め込まれることにより、マグネット２２が該便器側メンバ２０に固着されている。
【００２９】
この実施の形態では、２個のマグネット２２が左右に位置を異ならせて便器側メンバ２０に取り付けられている。床側メンバ１８には、便器側メンバ２０が該床側メンバ１８に重なったときにこれらのマグネット２２，２２をそれぞれ受承する略円形台座状のマグネット受承部１８ｃ，１８ｃが設けられている。該マグネット受承部１８ｃ，１８ｃは、床側メンバ１８の左右両側部にそれぞれ設けられている。各マグネット受承部１８ｃの板面の大きさは、各マグネット２２の板面の大きさよりも大きなものとなっている。なお、床側メンバ１８を床面Ｆ上に固定するための前述のビス挿通用の孔１８ａは、第２図に示すように、各マグネット受承部１８ｃの中心付近に設けられている。
【００３０】
前記ワンウェー取付部材２６は、該便器側メンバ２０の上面から上方に立設されたスライダ部３２と、該スライダ部３２を上昇移動可能且つ下方移動不能に保持するソケット部３４とからなる。ソケット部３４には、該ソケット部３４を上下方向に貫通したスライダ受入部（開口）３４ａが設けられており、このスライダ受入部３４ａ内に該スライダ部３２の上端側が挿入されている。ソケット部３４の左右両サイドには、それぞれ耳状の取付片３４ｂが設けられており、各取付片３４ｂが反転ボルト３６によって前記上下方向壁２４に留め付けられている。第２図の符号３４ｃ及び第３，４図の符号２４ａは、それぞれ、該取付片３４ｂ及び上下方向壁２４に設けられた反転ボルト３６挿通用の孔を示している。
【００３１】
第５，６図に示すように、スライダ部３２の左右両側辺に沿って、それぞれ、上下方向に連続した鋸歯状部３８が形成されている。また、スライダ受入部３４ａの左右両側壁部には、それぞれ、該スライダ受入部３４ａ内に突出するようにして該鋸歯状部３８と弾性的に係合する爪部４０が設けられている。これらの鋸歯状部３８と爪部４０とによってワンウェー機構が構成されている。
【００３２】
各鋸歯状部３８は、スライダ部３２の側外方に向って下り勾配となっている傾斜面と、該傾斜面の下端（各鋸歯状部３８の頂点）からスライダ部３２の中央側に向って略水平に延在した裾面とを有している。スライダ部３２がスライダ受入部３４ａ内を上昇移動する際には、各爪部４０が該傾斜面によってスライダ受入部３４ａ内から弾性的に側外方に押し出されて該スライダ部３２の上昇移動を許容するようになり、スライダ部３２がスライダ受入部３４ａ内を下方移動しようとした場合には、各爪部４０が該裾面に下方から当接して該スライダ部３２の下方移動を阻止する。
【００３３】
なお、各爪部４０には、該爪部４０と鋸歯状部３８との係合を任意に解除するためのノブ部４０ａが設けられている。台座部２を床面Ｆに固定した後、この台座部２を一旦床面Ｆから取り外して再度床面Ｆに固定し直す場合などには、該ノブ部４０ａに指等を掛けて各爪部４０を外側に引き出し、各爪部４０と鋸歯状部３８との係合を解除してスライダ部３２を下方に引き下ろす。
【００３４】
スライダ部３２の前面には、上下方向に延在する凸条３２ａが形成されている。スライダ受入部３４ａ内には、この凸条３２ａが係合した凹条３４ｄが上下方向に延設されており、スライダ部３２が上昇するのに伴って該凸条３２ａが凹条３４ｄ内を摺動することにより、スライダ部３２の上昇移動が案内される。
【００３５】
このように構成された便器の床固定構造によって洋風便器１を床面Ｆ上に固定設置するに当っては、まず、ワンウェー取付部材２６のソケット部３４を反転ボルト３６によって台座部２の前部の上下方向壁２４に取り付ける。そして、このソケット部３４のスライダ受入部３４ａにスライダ部３２の上端側を差し込んで便器側メンバ２０をソケット部３４に保持させる。この際、第３図及び第５図に示すように、便器側メンバ２０の下面側に配置されたマグネット２２の下面が台座部２の底面（外周壁１０の下辺）から下方に突出した状態となるようにスライダ受入部３４ａへのスライダ部３２の差し込み分量を調整する。また、床面Ｆのうち、台座部２を該床面Ｆに載置したときに便器側メンバ２０の略真下となるべき位置に、床側メンバ１８をビス２８によって取り付ける。
【００３６】
また、床面Ｆのうち、台座部２を該床面Ｆに載置したときに足片部１２のビス１４挿通用の孔と重なる位置には、該ビス１４を螺じ込むための下穴（図示略）を穿設する。
【００３７】
このようにした後、足片部１２のビス１４挿通用の孔とこの下穴とが重なるように台座部２を床面Ｆ上に載置する。この際、台座部２の前部においては、台座部２の底面が床面Ｆに接触するのに先立ってマグネット２２が床側メンバ１８に接触する。それから、台座部２の底面が床面Ｆに接触するまで、便器側メンバ２０がワンウェー取付部材２６によって上昇移動を許容されて上下方向壁２４に対し相対的に上昇移動する。
【００３８】
台座部２の底面が床面Ｆに当接した後、足片部１２のビス１４挿通用の孔を通して床面Ｆの前記下穴にビス１４を螺じ込み、該足片部１２を床面Ｆに固定する。その後、このビス１４の頭部に化粧キャップ１４ａを装着する。
【００３９】
この便器の床固定構造にあっては、台座部２の前部を床面Ｆに固定するに当っては、床側メンバ１８を床面Ｆに取り付けると共に便器側メンバ２０をワンウェー取付部材２６を介して台座部２の前部の上下方向壁２４に取り付け、台座部２を床面Ｆに載置して該便器側メンバ２０を床側メンバ１８に重ね合わせるだけでよい。床側メンバ１８と便器側メンバ２０とはマグネット２２の磁力によって強固に結合されるため、台座部２の前部は床面Ｆにしっかりと固定される。
【００４０】
そして、台座部２が床面Ｆに当接した後は、便器側メンバ２０は、便器に対し相対的に下方移動することがワンウェー機構によって阻止されるため、便器が確実に床面に固定される。
【００４１】
この便器の床固定構造にあっては、床側メンバ１８と便器側メンバ２０とが多少ずれてもマグネット２２が床側メンバ１８に重なりさえすれば該床側メンバと便器側メンバ２０とが該マグネット２２の磁力によって結合されるので、台座部２に前後方向或いは左右方向の寸法誤差があった場合、即ち洋風便器１製品において便器側メンバ２０を上下方向壁２４に取り付けるための反転ボルト３６挿通用の孔２４ａの配置位置が設計位置から前後方向或いは左右方向に多少ずれている場合でも、確実に台座部２を床面Ｆに固定することができる。
【００４２】
また、この実施の形態では、台座部２を床面Ｆに載置するに際し、該台座部２の底面が床面Ｆに接触するのに先立ってマグネット２２が床側メンバ１８に接触し、それから台座部２の底面が床面Ｆに接触するまで便器側メンバ２０が上下方向壁２４に対し相対的に上昇移動するので、台座部２に上下方向の寸法誤差があった場合、即ち洋風便器１製品において前記反転ボルト３６挿通用の孔２４ａの配置位置が設計位置から上下方向に多少ずれている場合でも、該便器側メンバ２０の上昇移動によってこの誤差が吸収され、台座部２が床面Ｆ上に載置された状態において確実にマグネット２２によって床側メンバ１８と便器側メンバ２０とが結合される。
【００４３】
なお、この実施の形態では台座部２の後部はビス１４によって床面Ｆに固定されているが、台座部２の後部も、台座部２の前部と同様に、固定用部材１６によって床面Ｆに固定するよう構成してもよい。
【００４４】
この実施の形態では便器側メンバ２０がワンウェー取付部材２６を介して台座部２に取り付けられているが、本発明においては、便器側メンバ２０の代りに、床側メンバ１８がワンウェー取付部材を介して床面Ｆに取り付けられてもよい。この場合、図示はしないが、該ワンウェー取付部材は、床側メンバ１８が床面Ｆに対し下方移動することを許容し且つ上昇移動することを阻止するように、この実施の形態におけるワンウェー取付部材２６を上下逆にした如き構成とされる。
【００４５】
このように構成されたワンウェー取付部材により床側メンバ１８を床面Ｆに取り付けた場合にも、台座部２を床面に載置するに際し、台座部２の床面Ｆへの当接に先行して便器側メンバ２０が床側メンバ１８に重なり、それから、台座部２をさらに降下させて床面Ｆに載置するに至る間、床側メンバ１８が該ワンウェー取付部材によって下方に移動するため、例えば洋風便器１製品に上下方向の寸法誤差があった場合でも、該床側メンバ１８の下方移動によってこの誤差が吸収され、台座部２が床面Ｆに載置された状態において便器側メンバ２０と床面側メンバ１８とが確実に重なり合って強固に結合される。
【００４６】
また、本発明では、図示はしないが、例えばマグネット２２と便器側メンバ２０との間に、該マグネット２２が便器側メンバ２０に対し接近することを許容し且つ離反することを阻止するワンウェー機構を有する連結部材（以下、このようにワンウェー機構を有する連結部材を「ワンウェー連結部材」と称する。）を介在させた構成としてもよい。
【００４７】
このように構成した場合、台座部２を床面Ｆに載置する際に、台座部２の床面Ｆへの当接に先行して、床側メンバ１８と便器側メンバ２０がワンウェー連結部材を介してマグネット２２によって連結される。そして、台座部２をさらに降下させて床面Ｆに載置するに至る間、該ワンウェー連結部材が床側メンバ１８と便器側メンバ２０とを互いに接近させる。このため、例えば洋風便器１製品に上下方向の寸法誤差があった場合でも、該床側メンバ１８と便器側メンバ２０とが互いに接近移動することによってこの誤差が吸収され、台座部２が床面Ｆに載置された状態において床側メンバ１８と便器側メンバ２０とが確実に結合される。
【００４８】
第７図及び第８図は、それぞれ、本発明の別の実施の形態に係る便器の床固定構造によって洋風便器の台座部が床面に固定される途中時及び固定完了時における台座部の前部付近の縦断面図である。
【００４９】
この実施の形態では、便器の台座部２の前部底面に凹所５０が形成されており、この凹所５０内に、該台座部２の前部を床面Ｆに固定するための固定用部材１６Ａの便器側メンバ２０Ａが設置されている。なお、台座部２の外周壁１０の下辺部は、図示の通り、この凹所５０の天井面５０ａよりも下方にまで延在している。
【００５０】
該便器側メンバ２０Ａは、該凹所５０の天井面５０ａに沿って配置された基片部５２と、該基片部５２から下方に向って突設されたスナップピン５４とを有している。該スナップピン５４の先端側には、略球形の拡大部５４ａが形成されている。該基片部５２は、厚み方向に柔軟に収縮可能な軟質合成樹脂等よりなる取付部材としてのシート５６を介して該天井面５０ａに取り付けられている。
【００５１】
なお、該シート５６の厚さは、台座部２が床面Ｆ上に載置されるに際し、該台座部２の底面（外周壁１０の下辺）が床面Ｆに接触するのに先立ってスナップピン５４が後述の床側メンバ１８Ａのスナップピン嵌合穴５８ａに上方から嵌合することができ、且つ、その後台座部２がさらに降下して該台座部２の底面が床面Ｆに接触するまで、厚み方向に収縮して便器側メンバ２０Ａが前記天井面５０ａに対し相対的に上昇移動することを許容する大きさとなっている。
【００５２】
固定用部材１６Ａの床側メンバ１８Ａは、該スナップピン５４が上方から弾性的に嵌合可能な略球形のスナップピン嵌合穴５８ａを有したスナップピン嵌合部５８と、該嵌合部５８を保持した台座部６０とを備えている。該台座部６０はビス６２によって床面Ｆに固着されている。
【００５３】
この実施の形態では、該台座部６０は、床面Ｆに沿う方向に移動可能なスライドプレート６０ａと、該スライドプレート６０ａを床面Ｆに沿う方向に移動可能に保持したスライドプレート保持部６０ｂとを有している。スナップピン嵌合部５８は、このスライドプレート６０ａと一体に設けられている。
【００５４】
この台座部２を備えた洋風便器のその他の構成及びこの台座部２の後部の床面Ｆへの固定構造は、前述の第１〜６図の洋風便器１と同様となっている。
【００５５】
このように構成された便器の床固定構造によって台座部２の前部を床面Ｆに固定するに当っては、まず、床側メンバ１８Ａの台座部６０をビス６２によって床面Ｆに固定すると共に、便器側メンバ２０Ａをシート５６を介して凹所５０の天井面５０ａに取り付ける。そして、台座部２を床面Ｆに載置して該便器側メンバ２０Ａを床側メンバ１８Ａに重ね合わせ、スナップピン５４をスナップピン嵌合穴５８ａに押し込むだけでよい。
【００５６】
この便器の床固定構造にあっては、床側メンバ１８Ａと便器側メンバ２０Ａとが多少ずれていても、スライドプレート６０ａが床面Ｆに沿う方向に移動してこのずれを吸収する。このため、台座部２に前後方向或いは左右方向の寸法誤差があった場合、即ち洋風便器１製品における便器側メンバ２０Ａの配置位置が設計位置から前後方向或いは左右方向に多少ずれている場合でも、確実にスナップピン５４が嵌合穴５８ａに嵌合し、台座部２が床面Ｆに固定される。
【００５７】
しかも、この実施の形態では、台座部２を床面Ｆに載置するに際し、該台座部２の底面が床面Ｆに接触するのに先立ってスナップピン５４が嵌合穴５８ａに嵌合し、それから、台座部２の底面が床面Ｆに接触するまで、シート５６が厚み方向に収縮して便器側メンバ２０Ａが凹所５０の天井面５０ａに対し相対的に上昇移動する。このため、台座部２に上下方向の寸法誤差があった場合、即ち洋風便器１製品において天井面５０ａの配置位置が設計位置から上下方向に多少ずれている場合でも、該便器側メンバ２０Ａの上昇移動によってこの誤差が吸収され、台座部２が床面Ｆ上に載置された状態において確実にスナップピン５４が嵌合穴５８ａに嵌合し、床側メンバ１８Ａと便器側メンバ２０Ａとが強固に結合される。
【００５８】
この実施の形態では、便器側メンバ２０Ａの天井面５０ａへの取付部材として、厚み方向に収縮して該便器側メンバ２０Ａが天井面５０ａに対し相対的に上昇移動することを許容するシート５６を用いているが、このシート５６の代りに、前述の実施の形態において採用されたワンウェー取付部材２６の如き、便器側メンバ２０Ａが該天井面５０ａに対し相対的に上昇移動することを許容し且つ下方移動することを阻止するワンウェー機構を有する取付部材を用いてもよい。
【００５９】
第９図はさらに別の実施の形態に係る便器の床固定構造によって固定された洋風便器の台座部の前部付近の縦断面図である。
【００６０】
この実施の形態でも、便器の台座部２の前部底面に凹所５０Ａが形成されており、この凹所５０Ａの天井面５０ａに、前述の第７，８図の実施の形態におけるシート５６と同様の、厚み方向に柔軟に収縮可能な軟質合成樹脂等よりなる取付部材としてのシート７０が取り付けられている。この実施の形態では、該シート７０の下面に、該台座部２の前部を床面Ｆに固定する固定用部材１８Ｂの便器側メンバとして、両面（粘着）テープ２０Ｂが貼り付けられている。
【００６１】
なお、該シート７０の厚さは、台座部２が床面Ｆ上に載置されるに際し、該台座部２の底面（外周壁１０の下辺）が床面Ｆに接触するのに先立って両面テープ２０Ｂが後述の床側メンバ１８Ｂに上方から重なり合うことができ、且つその後台座部２がさらに降下して該台座部２の底面が床面Ｆに接触するまで、厚み方向に収縮して両面テープ２０Ｂが前記天井面５０ａに対し相対的に上昇移動することを許容する大きさとなっている。
【００６２】
固定用部材１６Ｂの床側メンバ１８Ｂは、両面テープ２０Ｂとの粘着親和性の高い金属又は合成樹脂等よりなる板状部材であり、床面Ｆ上に台座部２が載置されたときに両面テープ２０Ｂの略真下に占位するように床面Ｆ上に配置され、ビス（図示略）等によって該床面Ｆに固着されている。
【００６３】
この台座部２を備えた洋風便器のその他の構成及びこの台座部２の後部の床面Ｆへの固定構造は、前述の第１〜６図の洋風便器１と同様となっている。
【００６４】
このように構成された便器の床固定構造によって台座部２の前部を床面Ｆに固定するに当っては、まず、床側メンバ１８Ｂをビス等により床面Ｆに取り付けると共に、シート７０を介して両面テープ２０Ｂを凹所５０の天井面５０ａに取り付け、台座部２を床面Ｆに載置して該両面テープ２０Ｂを床側メンバ１８Ｂに重ね合わせるだけでよい。
【００６５】
この便器の床固定構造にあっては、床側メンバ１８Ｂと両面テープ２０Ｂとが多少ずれても、両面テープ２０Ｂが床側メンバ１８Ｂに重なりさえすれば両者は結合されるので、台座部２に前後方向或いは左右方向の寸法誤差があった場合、即ち洋風便器１製品における両面テープ２０Ｂの配置位置が設計位置から前後方向或いは左右方向に多少ずれている場合でも、確実に台座部２を床面Ｆに固定することができる。
【００６６】
しかも、この実施の形態では、台座部２を床面Ｆに載置するに際し、該台座部２の底面が床面Ｆに接触するのに先立って両面テープ２０Ｂが床側メンバ１８Ｂに接触し、それから、台座部２の底面が床面Ｆに接触するまで、シート７０が厚み方向に収縮して両面テープ２０Ｂが凹所５０の天井面５０ａに対し相対的に上昇移動する。このため、台座部２に上下方向の寸法誤差があった場合、即ち洋風便器１製品において天井面５０ａの配置位置が設計位置から上下方向に多少ずれている場合でも、該両面テープ２０Ｂの上昇移動によってこの誤差が吸収され、台座部２が床面Ｆ上に載置された状態において確実に両面テープ２０Ｂが床側メンバ１８Ｂに強固に貼り付くようになる。
【００６７】
この実施の形態では便器側メンバとして両面（粘着）テープ２０Ｂを採用しているが、この両面テープ２０Ｂの代りに、シート７０の裏側に接着剤層を設けてもよい。また、図示はしないが、本発明では、台座部２と床面Ｆとの間に両面テープ２０Ｂや接着剤層を設けて両者を結合する代りに、マジックテープ（商標）などと通称される平面ファスナを該台座部２と床面Ｆとの間に設けて両者を結合してもよい。
【００６８】
第１０〜１２図は、それぞれ、床側メンバを床面Ｆに埋設設置した実施の形態を示している。
【００６９】
第１０図では、台座部２の裏側の凹所天井面５０ａにボルト挿通孔７６が設けられている。該天井面５０ａにパッキン７８を介してスナップピン８０が反転ボルト８２及びナット８２ａによって固定されている。この反転ボルト８２は該ボルト挿通孔７６に下側から挿通されて締め込まれている。
【００７０】
スナップピン８０は、該パッキン７８を介して天井面５０ａに重なるベース部８０ａと、該ベース部８０ａから垂下する垂下部８０ｂと、該垂下部８０ｂの下側に連なる拡大部８０ｃとを有している。
【００７１】
床面Ｆには、アンカーボックス８４が埋設設置され、このアンカーボックス８４内にスライドアンカ８６が水平方向へスライド自在に収容されている。アンカーボックス８４の上縁には、内向きに張出部８４ａが設けられており、この張出部８４ａがスライドアンカ８６の上面に摺動可能に接している。
【００７２】
スライドアンカ８６には、前記拡大部８４ｃが嵌合する嵌合穴８６ａが設けられている。この嵌合穴８６ａは、入口側（上部）が比較的狭く、奥側（下部）が拡大した形状である。
【００７３】
スナップピン８０を洋風便器１に反転ボルト８２によって取り付けておき、該スナップピン８０の拡大部８０ｃをスライドアンカ８６の嵌合穴８６ａに上方から押し込むようにして洋風便器１を床面Ｆ上に載置することにより、洋風便器１の前部側が床面Ｆに固定される。
【００７４】
なお、スライドアンカ８６がアンカーボックス８４内でスライド自在であるため、スナップピン８０とアンカーボックス８４との位置誤差を吸収することができる。
【００７５】
この実施の形態では、アンカーボックス８４とスライドアンカ８６とによって床側メンバが構成され、スナップピン８０が便器側メンバを構成している。
【００７６】
第１１図の実施の形態では、床面Ｆに床側メンバとして磁石９２が埋設設置され、洋風便器１には便器側メンバとして鉄片９０が反転ボルト８２を介して取り付けられている。この反転ボルト８２は凹所天井面５０ａのボルト挿通孔７６に挿通されている。鉄片９０と天井面５０ａとの間にはパッキン７８が介在されている。
【００７７】
洋風便器１を床面Ｆ上に裁置すると、鉄片９０が磁石９２と吸着し、洋風便器１の前部が床面Ｆに強力に固定される。
【００７８】
なお、磁石９２の上面が床面Ｆよりも若干突出しているので、鉄片９０が磁石９２からはみ出した場合でも、鉄片９０が床面Ｆに干渉することがない。
【００７９】
上記実施の形態では、反転ボルト８２を用いているが、これは天井面５０ａの上方のスペース９４が閉空間となっているためである。
【００８０】
第１２図の洋風便器１００のように、このスペースが開空間であるときには、通常のボルトを採用することができる。
【００８１】
第１２図の洋風便器１００では、台座部１０２の裏面から略水平に板状の張出片１０４が突設されている。この張出片１０４に上下方向にボルト挿通孔が貫設されている。このボルト挿通孔に挿通された通常のボルト１０６とナット１０８を介して張出片１０４の下側に鉄片１１４が取り付けられている。なお、この実施の形態では、パッキン１１０と鉄片１１４との間に合成樹脂や軽量金属製のスペーサ１１２が介在されている。これは、鉄片１１４として体積が小さいものを採用できるようにするためである。
【００８２】
床面Ｆには磁石１１６が埋設設置されている。洋風便器１００を床面Ｆ上に載置すると、鉄片１１４が磁石１１６に吸着し、洋風便器１００の前部が強力に固定される。
【００８３】
第１２図中の符号１２０は便鉢を示している。この便鉢１２０は、トラップ部１２２を介して排水口１２４に連通している。この排水口１２４は排水ソケット１２６に嵌合接続されている。排水ソケット１２６は、洋風便器１００の据付け前に床面Ｆに固定されている。
【００８４】
上記実施の形態では、磁石を床面Ｆに埋設しているが、鉄片を床面Ｆに埋設してもよい。鉄片の代りに磁石を用いてもよい。
【００８５】
上記の各実施の形態はいずれも本発明の一例を示すものであり、本発明は上記の実施の形態に限定されるものではない。
【００８６】
例えば、第１図〜第６図の実施の形態において床側メンバ１８を床面Ｆに埋設設置してもよい。上記の各実施の形態では便器として洋風便器を採用しているが、他の形式の便器であってもよい。
【図面の簡単な説明】
【００８７】
【図１】実施の形態に係る便器の床固定構造によって床面に固定された洋風便器の側面図である。
【図２】図１の便器の床固定構造の便器固定用部材の分解斜視図である。
【図３】洋風便器を床面に載置する途中時における固定用部材の側面図である。
【図４】洋風便器の床面への載置完了時における固定用部材の側面図である。
【図５】洋風便器を床面に載置する途中時における固定用部材の正面図である。
【図６】洋風便器の床面への載置完了時における固定用部材の正面図である。
【図７】別の実施の形態に係る便器の床固定構造によって洋風便器の台座部が床面に固定される途中時における該台座部の前部付近の縦断面図である。
【図８】図７の便器の床固定構造によって床面に固定された洋風便器の台座部の前部付近の縦断面図である。
【図９】さらに別の実施の形態に係る便器の床固定構造によって床面に固定された洋風便器の台座部の前部付近の縦断面図である。
【図１０】異なる実施の形態を示す断面図である。
【図１１】異なる実施の形態を示す断面図である。
【図１２】さらに異なる実施の形態を示す断面図である。
【符号の説明】
【００８８】
１，１００  洋風便器
２，１０２  台座部
１０  外周壁
１２  足片部
１４  ビス
１６，１６Ａ，１６Ｂ  固定部材
１８，１８Ａ，１８Ｂ  床側メンバ
２０，２０Ａ  便器側メンバ
２０Ｂ  両面テープ（便器側メンバ）
２２  マグネット
２４  上下方向壁
２６  ワンウェー取付部材
３２  スライダ部
３４  ソケット部
３４ａ  ソケット受入部
３８  鋸歯状部
４０  爪部
５０，５０Ａ  凹所
５４，８０  スナップピン
５６，７０  シート（取付部材）
５８  スナップピン嵌合部
６０  台座部
６０ａ  スライドプレート
８４  アンカーボックス
８６  スライドアンカ
９０，１１４  鉄片
９２，１１６  磁石
【図１】
2005048584.tif 000003
【図２】
2005048584.tif 000004
【図３】
2005048584.tif 000005
【図４】
2005048584.tif 000006
【図５】
2005048584.tif 000007
【図６】
2005048584.tif 000008
【図７】
2005048584.tif 000009
【図８】
2005048584.tif 000010
【図９】
2005048584.tif 000011
【図１０】
2005048584.tif 000012
【図１１】
2005048584.tif 000013
【図１２】
2005048584.tif 000014